(57)【要約】      （修正有）【課題】組み立て時等の作業の煩雑さと倒れ易さ壊れ易さを回避した室内用鯉のぼりを提供する。【解決手段】水平方向に延在して設置される全体として中空の直円柱の形状を有する本体部１と、本体部を支持する支柱体２と、からなる室内用鯉のぼりであって、支柱体は、床面に設置される台座部２１と、台座部の上面に上方に伸びて備わる支柱部２２と、支柱部の上部先端に備わる上部先端が尖った形状を有する支柱突端部と、からなり、本体部は、本体部の重心の真下の本体部の内部側面位置に貫通孔を有し、本体部の重心の真上の本体部の内部側面位置に本体部支点を有し、本体部の正面および背面に前後対称に、全体として鯉の形状かつ／または模様を呈し、本体部と支柱体とは、本体部の貫通孔に支柱体の支柱突端部の先端を通し、支柱突端部の先端の上に本体部支点を設置することで、組み立てられる。【選択図】図１
0003234321.tif 000002
【実用新案登録請求の範囲】
【請求項１】
水平方向に延在して設置される全体として中空の直円柱の形状を有する本体部と、前記本体部を支持する支柱体と、からなる室内用鯉のぼりであって、
前記支柱体は、
床面に設置される台座部と、前記台座部の上面に上方に伸びて備わる支柱部と、前記支柱部の上部先端に備わる上部先端が尖った形状を有する支柱突端部と、からなり、
前記本体部は、
前記本体部の重心の真下の前記本体部の内部側面位置に貫通孔を有し、前記本体部の重心の真上の前記本体部の内部側面位置に本体部支点を有し、
前記本体部の正面および背面に前後対称に、全体として鯉の形状かつ／または模様を呈し、
前記本体部と前記支柱体とは、前記本体部の前記貫通孔に前記支柱体の前記支柱突端部の先端を通し、前記支柱突端部の先端の上に前記本体部支点を設置することで、組み立てられる構造である、
ことを特徴とする室内用鯉のぼり。
【請求項２】
請求項１に記載の室内用鯉のぼりであって、さらに、
前記本体部と前記支柱体とが組み立てられた状態において、前記本体部支点と前記支柱突端部の先端とを支点として、前記本体部を左右かつ／または前後に揺動可能な、前記貫通孔の大きさとした、
ことを特徴とする室内用鯉のぼり。
【請求項３】
請求項１または請求項２に記載の室内用鯉のぼりであって、さらに、前記本体部支点位置にマーク部を有することを特徴とする室内用鯉のぼり。
【請求項４】
請求項１または請求項２に記載の室内用鯉のぼりであって、さらに、前記本体部支点位置に窪み部を有することを特徴とする室内用鯉のぼり。
【請求項５】
請求項１から請求項４のいずれかに記載の室内用鯉のぼりであって、さらに、
前記本体部は、使用済みの室外用鯉のぼりの金属ポールを材料として使用した、ことを特徴とする室内用鯉のぼり。
【考案の詳細な説明】
【技術分野】
【０００１】
本考案は、室内用の鯉のぼりに関する。
【背景技術】
【０００２】
従来の室内用鯉のぼりとして室外用の大きな鯉のぼりを部屋に飾れるサイズに縮小した形態のものが開示されている（例えば、特許文献１、特許文献２、特許文献３参照）。
しかし、このような室内用鯉のぼりは、台座部に立てられた支柱に、複数の小型の鯉のぼりを水平に取り付けており、パーツが多く、組み立て作業および収納時の分解作業が煩雑であった。また設置されている状態において不安定で倒れ易い、或いは倒れた場合に細かいパーツが多いため壊れ易いという問題があった。
【先行技術文献】
【特許文献】
【０００３】
【特許文献１】実用新案登録第３１２９５８０号公報
【特許文献２】実用新案登録第３１４６９７８号公報
【特許文献３】実用新案登録第３１５５５１１号公報
【考案の概要】
【考案が解決しようとする課題】
【０００４】
本考案はこれらの問題点に鑑み、パーツを極力減らした構造とすることで、組み立て時や分解時の作業の煩雑さを回避することを目的とする。これに加えて、安定度を高めた構造とすることで、倒れ易さや壊れ易さを回避することを目的とする。
【課題を解決するための手段】
【０００５】
第１の考案による室内用鯉のぼりは、
水平方向に延在して設置される全体として中空の直円柱の形状を有する本体部と、前記本体部を支持する支柱体と、からなる室内用鯉のぼりであって、
前記支柱体は、
床面に設置される台座部と、前記台座部の上面に上方に伸びて備わる支柱部と、前記支柱部の上部先端に備わる上部先端が尖った形状を有する支柱突端部と、からなり、
前記本体部は、
前記本体部の重心の真下の前記本体部の内部側面位置に貫通孔を有し、前記本体部の重心の真上の前記本体部の内部側面位置に本体部支点を有し、
前記本体部の正面および背面に前後対称に、全体として鯉の形状かつ／または模様を呈し、
前記本体部と前記支柱体とは、前記本体部の前記貫通孔に前記支柱体の前記支柱突端部の先端を通し、前記支柱突端部の先端の上に前記本体部支点を設置することで、組み立てられる構造である、
ことを特徴とする。
第２の考案による室内用鯉のぼりは、第１の考案に記載の室内用鯉のぼりであって、さらに、本体部と支柱体とが組み立てられた状態において、本体部支点と支柱突端部の先端とを支点として、本体部を左右かつ／または前後に揺動可能な、貫通孔の大きさとした、ことを特徴とする。
第３の考案による室内用鯉のぼりは、第１の考案または第２の考案に記載の室内用鯉のぼりであって、さらに、本体部支点位置にマーク部を有することを特徴とする。
第４の考案による室内用鯉のぼりは、第１の考案または第２の考案に記載の室内用鯉のぼりであって、さらに、本体部支点位置に窪み部を有することを特徴とする。
第５の考案による室内用鯉のぼりは、第１の考案から第４の考案のいずれかに記載の室内用鯉のぼりであって、さらに、本体部は、使用済みの室外用鯉のぼりの金属ポールを材料として使用した、ことを特徴とする。
【考案の効果】
【０００６】
本考案の室内用鯉のぼりは、本体部と支持体の２パーツのみからなる構造であるため、組み立て時や分解時の作業の煩雑さを回避し作業の容易さを達成し、廉価で、かつ、持ち運びや収納の利便性を有する室内用鯉のぼりを提供できるという効果を有する。
本考案の室内用鯉のぼりは、鯉のぼりの飾りの本体部分が１パーツの本体部からなること、さらに、本体部の重心の真上の本体部の内部側面位置に有する本体部支点において本体部を支柱体が支える構造であっていわゆるやじろべえの機能を有すること、により静止状態や本体部を左右かつ／または前後に揺動させた状態で、安定度が高くて倒れにくく壊れにくい室内用鯉のぼりを提供できるという効果を有する。
本考案の室内用鯉のぼりは、鯉のぼりとして装飾された本体部と支持体という簡単な構成、かつ、支柱体が本体部の本体部支点を支える単純な構造により、鯉のぼりとしての装飾効果を達成できる室内用鯉のぼりを提供できるという効果を有する。
本体部を左右かつ／または前後に揺動可能な貫通孔の大きさとした本考案の室内用鯉のぼりは、本体部の重心の真上の本体部の内部側面位置に有する本体部支点において本体部を支柱体が支える構造であることと併せて、単振り子の機能を有する。そのため、本体部を左右かつ／または前後に揺動させた場合に、鯉のぼりの玩具としての要素を有し、さらに、癒しやリラクゼーションの要素を有する室内用鯉のぼりを提供できるという効果を有する。
本体部支点位置にマーク部を有する本考案の室内用鯉のぼりは、支柱突端部の先端の上に本体部支点を設置し易いので、組み立て易い室内用鯉のぼりを提供できるという効果を有する。
本体部支点位置に窪み部を有する本考案の室内用鯉のぼりは、支柱突端部の先端の上に本体部支点を設置し易く、かつ、本体部の左右かつ／または前後の揺動に対して支柱突端部の先端が本体支点からずれ難いので、組み立て易くかつ安定した室内用鯉のぼりを提供できるという効果を有する。
本体部に使用済みの室外用鯉のぼりの金属ポールを材料として使用した本考案の室内用鯉のぼりは、再利用によるごみの削減に貢献するので、ＳＤＧｓ（Ｓｕsｔａｉｎａｂｌｅ  Ｄｅｖｅｒｏｐｍｅｎｔ  Ｇｏａｌｓ；持続可能な開発目標）達成に貢献する室内用鯉のぼりを提供できるという効果を有する。またこのような使用済みの室外用鯉のぼりは一本の金属ポールから複数個の製作が可能であるので、複数個を同時販売できるといった販売促進につながるという効果を有する。
【図面の簡単な説明】
【０００７】
【図１】第１の実施形態における室内用鯉のぼりの一例を示す斜視図である。
【図２】第１の実施形態における室内用鯉のぼりの一例を示す正面図である。
【図３】第１の実施形態における室内用鯉のぼりの一例を示す右側面図である。
【図４】第１の実施形態における室内用鯉のぼりの一例を示す平面図である。
【図５】第１の実施形態における室内用鯉のぼりの一例を示す底面図である。
【図６】第１の実施形態における室内用鯉のぼりの一例を示す本体部と支柱体とを分離した状態を示す斜視図である。
【図７】第１の実施形態における室内用鯉のぼりの一例を示す図３のＡ−Ａ’断面図である。
【図８】図７の本体部支点付近の拡大図である。
【図９】第１の実施形態における室内用鯉のぼりの一例を示す図２のＢ−Ｂ’断面図である。
【図１０】第１の実施形態における室内用鯉のぼりの一例において本体部の左側を下に傾かせた状態での正面図である。
【図１１】第１の実施形態における室内用鯉のぼりの一例において本体部の右側を下に傾かせた状態での正面図である。
【図１２】第１の実施形態の構成の他の一例として、貫通孔の大きさを小さくすることで本体部の揺動の度合いが小さいまたはほとんどないものとした、室内用鯉のぼりの一例を示す図２のＢ−Ｂ’断面図である。
【図１３】第１の実施形態の構成の他の一例として、本体部支点位置に窪み部を有さない、室内用鯉のぼりの一例を示す図３のＡ−Ａ’断面図である。
【図１４】第１の実施形態の構成の他の一例として、本体部支点位置にマーク部を有する室内用鯉のぼりの本体部のみを示す底面図である。
【図１５】第１の実施形態の他の一例として、本体部の尾ひれの下部を床面に置いて本体部と支柱体とを組み立てた場合を示す正面図である。
【考案を実施するための形態】
【０００８】
以下、図面を参照して本考案による室内用鯉のぼりの実施形態を説明する。
まず、本考案の明細書におけるいくつかの用語の意味について定義する。本考案において、本体部の前後左右とは、中空円柱状の本体部を水平方向に延在するように設置した場合に、水平方向を左右方向とし、左右方向に対する正面背面方向を前後方向、と定義する。中空とは、中空であってかつ２つの端部が開口している状態のことと定義する。直円柱とは、母線が端面（仮想面）に対し垂直である円柱のことと定義する。床面とは、本考案の室内用鯉のぼりを置くための面（例えば、床、机や棚の上面、棚の一区画の面など）という意味合いであると定義する。直柱体とは、母線が端面（仮想面）に対し垂直である柱体（すなわち直円柱または直角柱）のことと定義する。「本体部を左右かつ／または前後に揺動」における左右・前後については、本体部の重心の揺れの方向のことであると定義する。
【実施形態１】
【０００９】
図１から図１１を用いて、本実施形態に係る室内用鯉のぼりについて説明する。
図１は、第１の実施形態における室内用鯉のぼりの全体構成を示す斜視図である。
図２から図５はそれぞれ、室内用鯉のぼりの正面図、右側面図、平面図、底面図、である。
室内用鯉のぼりの背面図は正面図と左右対称の図となり、左側面図は右側面図と同一の図となるため、背面図と左側面図の図示は省略する。
図６は、室内用鯉のぼりの本体部１と支柱体２とを分離した状態、すなわち組み立てる前の状態を示す図である。
図７は、室内用鯉のぼりの右側面図（図３）Ａ−Ａ’位置の断面を示したＡ−Ａ’断面図である。図８は、図７の本体部支点１２付近の拡大図である。図９は、室内用鯉のぼりの正面図（図２）Ｂ−Ｂ’位置の断面を示したＢ−Ｂ’断面図である。
図１０は、室内用鯉のぼりの正面図（図２）の状態（静止状態）から本体部１を指などで揺動させ左側（本体部１の口部１３側）を下に傾かせた状態を示す図である。図１１は、室内用鯉のぼりの正面図（図２）の状態（静止状態）から本体部１を指などで揺動させ右側（尾ひれ部１４）を下に傾かせた状態を示す図である。
【００１０】
［室内用鯉のぼりの構成について］
図１から図５などに示すように、本実施形態の室内用鯉のぼりは、水平方向に延在して設置される全体として中空の直円柱すなわち円筒状の形状を有する本体部１と、支柱体２と、から構成される。
図１、図３、図７などに示すように、支柱体２は、底面が平面であって水平な床面Ｆに設置される台座部２１と、台座部２１の上面の略中心位置に真上方向に伸びて備わる、直柱体の形状を有する支柱部２２と、支柱部２２の上部先端に備わる上部先端が尖った形状を有する支柱突端部２３と、から構成される。
図１、図２、図７などに示すように、本体部１は、本体部１の重心Ｃの真下の本体部１の内部側面位置に貫通孔１１を有し、本体部１の重心Ｃの真上の本体部１の内部側面位置に本体部支点１２を有し、本体部１の正面および背面に前後対称に、全体として鯉の形状かつ／または模様を呈している。
図７に示すように本体部１と支柱体２とは、本体部１の貫通孔１１に支柱体２の支柱突端部２３の先端を通し、支柱突端部２３の先端の上に本体部支点１２を設置することで、組み立てられる構造である。
さらに、図２、図７、図９に示すように本体部１と支柱体２とが組み立てられた状態において、本体部支点１２と支柱突端部２３の先端とを支点として、本体部１を左右かつ／または前後に揺動可能な、貫通孔１１の大きさとしている。
またさらに、図７および図８に示すように、本体部支点１２位置に窪み部１２ａを有する。
【００１１】
［室内用鯉のぼりの構成についての詳細と各構成品の大きさなどの限定について］
＜＜室内用鯉のぼりの大まかな構成について＞＞
前述のように、本実施形態の室内用鯉のぼりは、本体部１と支柱体２とから構成される（図１から図５などを参照）。
本体部１は、全体としては中空の直円柱の形状を有し、本体部１と支柱体２とが組み立てられた状態において、水平方向（直円柱を寝かした状態）に延在するように設置される。ここで、本体部１とは、室内用鯉のぼりの鯉のぼりの部分のことであり、支柱体２とは、本体部１を支える部分のことである。
ここで本体部１の形状（縦横比など）や大きさ、材質については限定するものではない。
しかし、正面から見た場合の縦横については、後述するような鯉のぼりの鯉の形状を連想させ、かつ、後述するような支柱突端部２３の上でバランスを取り易いように、ある程度横長の縦横比であることが望ましい。材質については、後述するような支柱突端部２３の上でバランスを取り易いように、紙などの軽量な材質よりも、樹脂や木材、金属などのある程度重みのある（比重の大きい）材質であることが望ましい。
上述のように本実施形態の本体部１の材質（材料）については限定するものではないが、他の好適な例として使用済みの室外用鯉のぼりの金属ポールを材料として使用することも可能である。室外用鯉のぼりの金属ポールは直円柱の形状を有しているため本体部１の材料として適しているためである。
【００１２】
＜＜支柱体２の構成について＞＞
前述のように、支柱体２は、台座部２１と支柱部２２と支柱突端部２３とから構成される（図１、図３、図７などを参照）。
【００１３】
＜台座部２１＞
すなわち、支柱体２の台座部２１は、本実施形態の室内用鯉のぼりが水平な床面Ｆ（例えば、床、机や棚の上面、棚の一区画の面など）に接する部分であって、その略中心位置に真上方向に伸びて備わる支柱部２２を支え、その支柱部２２を通して本体部１を支えるものである。よって、本体部１が支柱部２２の上で静止している状態や後述のように本体部１を揺動させた状態において本体部１を安定して支えるため、台座部２１の底面は平面である。
また図１から図５などに示すように本実施形態の台座部２１の形状は円盤状としているがこれは一例に過ぎず、そのような形状に限定されるものでは無く、正方形や長方形、その他の形状であっても良い。
さらに、台座部２１の大きさ、材質についても限定するものではない。
しかし本体部１が支柱部２２の上で静止している状態や後述のように本体部１を揺動させた状態において安定するようにするために、台座部２１の大きさについては図４、図５に示されるように本体部１の底面の直径よりも大きくすることが望ましく、材質については本体部１の材質に見合った材質とすることが望ましい。
【００１４】
＜支柱部２２＞
支柱部２２は、台座部２１の上面の略中心位置に真上方向に伸びて備わるものであって、本体部１の貫通孔１１に支柱部２２を通して、その上部先端の支柱突端部２３で本体部１を支えるために、上下方向に延在する直柱体の形状である。
また図７、図９などに示すように本実施形態の支柱部２２の形状は直円柱としているがこれは一例に過ぎず、そのような形状に限定されるものでは無く、直角柱であっても良い。
さらに、支柱部２２の長さ、太さ、材質についても限定するものではない。
しかし、後述するような本体部１の揺動を可能とし、かつ、本体部１が支柱部２２の上で静止している状態や本体部１を揺動させた状態において本体部１を安定して支えるため、支柱部２２は、長さについては、図７に示すように本体部１の正面から見た場合の横の長さの１／２程度の長さであることが望ましい。また、本体部１が支柱部２２の上で静止している状態や本体部１を揺動させた状態において本体部１を安定して支えるため、支柱部２２は、太さについては、図７に示すように本体部１の厚みよりも太くし、材質については本体部１の材質に見合った材質とすることが望ましい。
【００１５】
＜支柱突端部２３＞
支柱突端部２３は、支柱部２２の上部先端に備わるものであって、後述する本体部支点１２で本体部１を支え、かつ、後述する本体部１の揺動を可能とするために図７に示すように上部先端が尖った形状をしている。
支柱突端部２３は、支柱部２２の上部先端を加工したもの、すなわち、支柱部２２の一部であっても良いし、支柱部２２先端に取り付けたものであっても良い。
支柱突端部２３の、尖り具合を含めた形状、材質については限定するものではない。しかし、後述する本体部１の揺動を可能とし、かつ、支柱突端部２３が使用により摩耗を起こさない程度の形状、材質であることが望ましい。
【００１６】
＜＜本体部１の構成について＞＞
前述のように、本体部１は、貫通孔１１と本体部支点１２とを有する（図７などを参照）。また、本体部支点１２位置に窪み部１２ａを有する（図７および図８参照）。
【００１７】
＜本体部支点１２＞
ここで本体部支点１２は、本体部１の重心Ｃ（図７のＣ点）の真上の本体部１の内部側面位置にある。
これにより本実施形態の室内用鯉のぼりは、いわゆるやじろべえの機能、すなわち、本体部支点１２の一点で本体部１を支えることで本体部１の左右かつ／または前後の揺動に対して元の位置（静止状態の位置）へ戻ろうとする機能が働き、安定した左右かつ／または前後のつり合い状態となる。ここで言う左右・前後とは、本体部１の重心Ｃの揺れの方向のことである。本体部１が左右かつ前後に揺動する場合は、例えば右側面から見て本体部１の右端部は無限大記号を縦にした軌跡で動くことになる。
ここで、やじろべえは支点の真下の空間にその重心Ｃがあるため、左右および前後の揺動に対して安定した動き、すなわち、元の静止した位置へ戻ろうとする作用が働く。これは近似的に単振り子の原理で説明ができる。すなわち、単振り子が例えば右に振れたとき（やじろべえの右側が上に振れたときに相当）に元に戻ろうするのは、単振り子の重心（すなわち重り位置；やじろべえの重心Ｃと近似に一致）の重力の振り子の振れの接線方向の分力（単振り子の振れをθ[度]、重りの重さをｍ[ｋｇ]とするとｍｇｓｉｎθ[Ｎ]；ｇは重力加速度）が単振り子の静止位置方向に向いているので、単振り子には左方向の力が働くことになるためである。
【００１８】
＜貫通孔１１＞
貫通孔１１は、本体部１の重心Ｃの真下の本体部１の内部側面位置にある。また貫通孔１１は、本体部１と支柱体２とが組み立てられた状態において、本体部支点１２と支柱突端部２３の先端とを支点として、本体部１を左右かつ／または前後に揺動可能な（例えば左右にそれぞれ最大で５度揺動可能な）大きさである。図２、図７、図９参照）。
ここで貫通孔１１は、そこに支柱体２の支柱突端部２３の先端を通して支柱突端部２３の先端の上に本体部支点１２の設置を可能とし、かつ、上記やじろべえの機能と下記単振り子の機能をもたせるためのものである。
すなわち本実施形態の室内用鯉のぼりは、上述のように本体部支点１２が本体部１の重心Ｃの真上にあってやじろべえの機能（揺動に対して静止状態の位置へ戻ろうとする機能）を有するので、本体部１が左右かつ／または前後に揺動可能な程度の貫通孔１１の大きさであれば、単振り子の機能（左右の揺動を繰り返す機能）をも有することになる。
ここで単振り子は、重りを右または左のｈ［ｍ］の高さ（静止状態の重りの位置からの高さ）位置から揺らした場合に、理論的には一定の周期を保ち、ｍｇｈ［Ｊ］のエネルギーを維持して静止状態位置でｖ＝√（２ｇｈ）［ｍ／ｓ］の速度を保って永遠に左右の揺動を繰り返す機能を有する。現実上の（すなわち本実施形態の）単振り子の機能は、現実には本体部支点１２での摩擦や空気抵抗によるエネルギーロスがあるため、左右の揺動を繰り返し、最終的に静止位置で静止するという機能である。よって重りを大きく揺らした方（ｈを大きくした方）が当初のエネルギーが高いため、エネルギーロスで全体のエネルギーが０になる（すなわち静止状態となる）まで時間がかかるため、単振り子が静止するまでの揺動時間が長くなる。
よって、大きく揺らすことが可能な貫通孔１１の大きさであれば、本体部１は左右かつ／または前後に揺動を長時間繰り返すことになる。
図１０、図１１はそれぞれ、本体部１の左側、右側を下に傾かせた、すなわち本体部１が右、左に揺動している状態を示している。
貫通孔１１の大きさについては、他の一例として、貫通孔１１の大きさを小さくすることで左右かつ／または前後への揺動の度合いが小さいまたはほとんどなく、直ぐに静止位置に戻る性質のものとしても良い。
図１２は、本実施形態の他の一例として、貫通孔１１の大きさを小さくすることで本体部１の揺動の度合いが小さいまたはほとんどないものとした場合の図９に相当する図である。
貫通孔１１の大きさについての最小値は、支柱体２の支柱突端部２３の先端を通すことが可能なように、支柱部２２の上端部の径を超える大きさである必要がある。
貫通孔１１の形については限定するものではない。しかし、特に本体部１を左右かつ／または前後に揺動可能とする場合には、その方向に揺動し易いよう貫通孔１１の形は円形とすることが望ましい。
【００１９】
＜窪み部１２ａ＞
窪み部１２ａは、本体部支点１２位置にある（図７、図８参照）。ここで窪み部１２ａは、支柱突端部２３の先端の上に本体部支点１２を設置し易く、かつ、本体部１の左右かつ／または前後の揺動に対して支柱突端部２３の先端が本体支点からずれ難くするためのものであって、本体部１の内部側面位置にある窪みである。
窪み部１２ａの形は、本体部１を左右かつ/または前後に揺動可能とする場合においては、その方向に揺動し易いよう円形とすることが望ましい。大きさは突端部の先端に本体部支点１２が安定して位置するように、支柱部２２の上端部の径よりも小さい径であることが望ましい。
本実施形態の他の一例として、本体部支点１２位置に窪み部１２ａがないものであっても良い。
図１３は、本実施形態の他の一例として、本体部支点１２位置に窪み部１２ａを有さない、室内用鯉のぼりの一例を示す図７に相当する図である。ここで窪み部１２ａを有さないとは、窪み部１２ａも後述するマーク部１２ｂも有さないものと、後述するマーク部１２ｂのみ有すものとを含む。
また本実施形態の他の一例として、本体部支点１２位置にマーク部１２ｂを有するものであっても良い。ここでマーク部１２ｂは、支柱突端部２３の先端の上に本体部支点１２を設置し易くするためのものであって、本体部１の内部側面位置にある本体部支点１２位置を示すマークである。
図１４は、本実施形態の他の一例として、本体部支点１２位置にマーク部１２ｂを有する、室内用鯉のぼりの一例を示す本体部１のみの底面図である。
マーク部１２ｂの大きさやデザインについては、図１４に示す十字のデザインなどのように本体部支点１２位置が示されるものであれば、それ以外の条件については限定されるものではない。
【００２０】
＜＜本体部１の表面上の形状などについて＞＞
前述のように、本体部１の正面および背面には、鯉の形状かつ／または模様を有し、本体部１は、前後対称の形状である（図１、図２などを参照）。
本体部１の正面および背面に鯉の形状かつ／または模様を有するのは、室内用鯉のぼりとしての装飾の機能を発揮させるためである。また前後方向に本体部１を揺動可能とするため、正面、背面から見た本体部１は互いに左右を反転させた形状、すなわち前後対称の形状である。
本実施形態の本体部１は、図２などに示すように、本体部１の左端部には口部１３の模様が付され、右端部には尾ひれ部１４の形状が形成され（本体部１の端部の縁を削ることで形成）、口部１３から尾ひれ部１４の間に目孔１５と鱗孔１６の形状が形成（側面に貫通孔を開けることで形成）されているが、これは一例に過ぎない。鯉の形状かつ／または模様が付されていれば、例えば目と鱗が本体部１側面上に取り付けられたものであっても、形状では無く全て模様により鯉のぼりとしての装飾がなされていても良い。
本実施形態の室内用鯉のぼりは、中空の直円柱の本体部１側面（正面および背面）に鯉の形状かつ／または模様を有するだけで、本体部１と支持体２という簡単な構成、かつ、支柱体２が本体部１の本体部支点１２を支える単純な構造により、全体として、室内用鯉のぼりとしての装飾の機能を備えたものである。
本体部１が前後対称の形状であるのは（図１、図２などを参照）、本体部１の直円柱形状の中心軸線上に重心Ｃを持たせることで、本実施形態の本体部１に前後方向に対しても、前述したやじろべえの機能や単振り子の機能を持たせるためである。
【００２１】
＜＜室内用鯉のぼりの組み立てなどについて＞＞
前述のように、本体部１と支柱体２とは、本体部１と支柱体２とが分離した状態（図６参照）から本体部１の貫通孔１１に支柱体２の支柱突端部２３の先端を通し、支柱突端部２３の先端の上に本体部支点１２を設置することで、組み立てられる構造である（図７参照）。
このように組み立てられた本実施形態による室内用鯉のぼりは、本体部１の重心の真上の本体部１の内部側面位置に有する本体部支点１２において本体部１を支柱体２が支える構造となるので、前述のいわゆるやじろべえの機能を有する。
このように組み立てられた本実施形態による室内用鯉のぼりは、本体部１の重心の真上の本体部１の内部側面位置に有する本体部支点１２において本体部１を支柱体２が支える構造であって、貫通孔１１の大きさが本体部１を左右かつ／または前後に揺動可能な大きさであるので、前述の単振り子の機能を有する。
図１５は、本実施形態の他の一例として、本体部１の貫通孔１１に支柱体２の支柱突端部２３の先端を通し、本体部１の尾ひれ部１４の下部を床面Ｆに置いて、支柱突端部２３の先端を本体部支点１２よりも口部１３側の内部側面に設置することで、本体部１と支柱体２とを組み立てた場合を示す正面図であり、本実施形態の構成によりこのような組み立て方も可能である。
【００２２】
［室内用鯉のぼりの効果について］
このような第１の実施形態により、本体部と支持体の２パーツのみからなる構造を実現し、組み立て時や分解時の作業の煩雑さを回避し作業の容易さを達成し、廉価で、かつ、持ち運びや収納の利便性を有する室内用鯉のぼりを提供できる。
２パーツで構成できるのは、本考案が前述のようにやじろべえの機能を有したものであり、支柱体の上部先端に本体部の本体支点部を置くだけで安定した室内用鯉のぼりを構成できるからである。
このような第１の実施形態により、鯉のぼりの飾りの本体部分が１パーツの本体部からなること、さらに、本体部の重心の真上の本体部の内部側面位置に有する本体部支点において本体部を支柱体が支える構造であっていわゆるやじろべえの機能を有すること、を実現し、静止状態や本体部を左右かつ／または前後に揺動させた状態で、安定度が高くて倒れにくく壊れにくい室内用鯉のぼりを提供できる。
このような第１の実施形態により、鯉のぼりとして装飾された本体部と支持体という簡単な構成、かつ、支柱体が本体部の本体部支点を支える単純な構造を実現し、鯉のぼりとしての装飾効果を達成できる室内用鯉のぼりを提供できる。
このような第１の実施形態により、前述したように、単振り子の機能を実現した。そのため、本体部を左右かつ／または前後に揺動させた場合に、本体部の左右かつ／または前後の揺動を繰り返す動作となり、鯉のぼりの玩具としての要素を有し、さらに、そのゆらゆらと揺れる揺動の繰り返しによってゆらゆらと風になびく鯉のぼりを連想させ、癒しやリラクゼーションの要素を有する室内用鯉のぼりを提供できる。
ここで支柱体突端部の先端が尖った形状であるので（図７および図８参照）、本体部との接触面が小さくなり、やじろべえの支点の摩擦によるエネルギーロスを減らし、左右かつ/または前後の揺動時間を長くすることに貢献している。
このような第１の実施形態の他の一例として本体部支点位置にマーク部を有するものは、支柱突端部の先端の上に本体部支点を設置し易いので、組み立て易い室内用鯉のぼりを提供できる。
このような第１の実施形態により、本体部支点位置に窪み部を有するため、支柱突端部の先端の上に本体部支点を設置し易く、かつ、本体部の左右かつ／または前後の揺動に対して支柱突端部の先端が本体支点からずれ難いので、組み立て易くかつ安定した室内用鯉のぼりを提供できる。
支柱突端部の先端の上に本体部支点を設置し易い、とする理由は具体的には以下の通りである。
本体部は、本実施形態で示す鯉のぼりの形状のように、左右対称の形状ではない事もあり、よって本体部の重心は本体部の中心と一致するとは限らない。そこで本考案の製作者が予め重心位置を計算上でまたは測定により求めておきその重心位置の真上の本体部内部側面に本体部支点位置をマーク部等で明らかにしておくことで、本考案の使用者は、支柱体の上部先端の上にマーク部等の位置に合わせて本体部を置くだけで本体部の重心を求めずとも本考案の室内用鯉のぼりを組み立てられるというものである。
このような第１の実施例の他の一例として本体部に使用済みの室外用鯉のぼりの金属ポールを材料として使用したものは、再利用によるごみの削減に貢献するので、環境負荷の少ない環境配慮型商品の開発・生産の促進に寄与し、ＳＤＧｓ（Ｓｕsｔａｉｎａｂｌｅ  Ｄｅｖｅｒｏｐｍｅｎｔ  Ｇｏａｌｓ；持続可能な開発目標）達成に貢献する室内用鯉のぼりを提供できる。またこのような使用済みの室外用鯉のぼりは一本の金属ポールから複数個の製作が可能である。このように一本の金属ポールから製作した複数個の本考案の室内用鯉のぼりは、思い出深く思い入れのあるかつての室外用鯉のぼりから製作したという共有感を与える製品となる。よって、一家族で形状や模様（色を含む）のみ変えて複数個購入する可能性や、現在離れて暮らす家族へ分配するために複数個購入する可能性を有し、複数個を同時販売できるといった販売促進につながる。
また、このような第１の実施形態の室内用鯉のぼりは、端午の節句の時期だけでなく、インテリアとして一年を通して飾って楽しむことができる。
【産業上の利用可能性】
【００２３】
以上のように本考案による室内用鯉のぼりは、組み立て時や分解時の作業が容易であって、倒れ易さや壊れ易さを回避した室内用鯉のぼりを提供できる点で有用である。
【符号の説明】
【００２４】
１      本体部
１１    貫通孔
１２    本体部支点
１２ａ  窪み部
１２ｂ  マーク部
１３    口部
１４    尾ひれ部
１５    目孔
１６    鱗孔
２      支柱体
２１    台座部
２２    支柱部
２３    支柱突端部
Ｃ      重心
Ｆ      床面
【図１】
0003234321.tif 000003
【図２】
0003234321.tif 000004
【図３】
0003234321.tif 000005
【図４】
0003234321.tif 000006
【図５】
0003234321.tif 000007
【図６】
0003234321.tif 000008
【図７】
0003234321.tif 000009
【図８】
0003234321.tif 000010
【図９】
0003234321.tif 000011
【図１０】
0003234321.tif 000012
【図１１】
0003234321.tif 000013
【図１２】
0003234321.tif 000014
【図１３】
0003234321.tif 000015
【図１４】
0003234321.tif 000016
【図１５】
0003234321.tif 000017